(57)【特許請求の範囲】
【請求項１】
側面に吸込口を有し、上面に吐出口を設けた箱状で、底部には給水タンクより給水される水を所定の水位でたくわえる水槽を設けた本体と、前記水槽の周辺に配設される環状の加湿フィルターと、この加湿フィルターの上方位置に配設され、前記加湿フィルターを介して吸気するように設けられるファンモータと、このファンモータと連結し回転することにより前記水槽の水を吸上げ前記加湿フィルターの内面に散水する吸水管とを備え、前記加湿フィルターは不織布をプリーツ加工して形成し、環状の加湿フィルターの内側に設けられる吸水管を、環状の加湿フィルターの内側における吸水管の位置関係でみて、本体の側面に設けた吸込口側に片寄せて配設した気化式加湿機。
【発明の詳細な説明】
【０００１】
【発明の属する技術分野】
本発明は冬期暖房を続行することにより室内の湿度が低下し不快感を感じるのを防止するため、室内を加湿するのに使用される気化式加湿機に関する。
【０００２】
【従来の技術】
従来、この種の気化式加湿機は図１０に示されるものが知られていた。以下、その構成について図１０を参照しながら説明する。
【０００３】
図に示すように、側面に吸込口１０１を有し、上面に吐出口１０２を設けた箱状で底部には給水タンク１０３より給水される水を所定の水位でたくわえる水槽１０４を設けた本体１０５と、水槽１０４の周辺に発砲ポリウレタン板を環状に形成したフィルター１０６を設け、フィルター１０６の上方位置にフィルター１０６を介して吸気するようにファンモータ１０７を設け、ファンモータ１０７の回転軸１０８に連結具１０９を取り付け、下方が小径で上方が大径となる傾斜面を内面に形成し、フィルター１０６に対応し縦方向の複数段に散水孔１１０を形成した吸水管１１１を連結具１０９に複数本の取付ねじ１１２により取り付けていた。
【０００４】
上記構成において、加湿機を運転すると、ファンモータ１０７が駆動し、吸水管１１１が回転し、水槽１０４の水が吸水管１１１の内面を伝って上昇し、吸水管１１１に複数段に設けた散水孔１１０から水が上昇するに伴ない順次フィルター１０６に向けて散水し、フィルター１０６を通過する空気により気化され加湿空気が吐出口１０２より放散して室内を加湿するものであった。
【０００５】
【発明が解決しようとする課題】
このような従来の気化式加湿機では、フィルター１０６として発砲ウレタン板を環状に形成したものを使用しているため、散水孔１１０から散水された水がフィルター１０６の表面から内部へ向って浸透しにくく、フィルター１０６に吸着される度合が悪くなり、フィルター１０６の容積を大きくしなければならないので加湿機が大型になるという課題があり、小型化することが要求されている。
【０００６】
また、吸水管１１１内に吸い上げられる水は、遠心力が大きい上方部に移動する水量が多いため、下方の散水孔１１０から放出される水の勢いは小さく、フィルター１０６に到着しないこともあり、フィルター１０６への散水効率が良くないという課題があり、散水効率を高めることが要求されている。
【０００７】
また、フィルター１０６がフィルターケース内に収納されていないためフィルター１０６の形状の維持が困難であるという課題があり、フィルター形状を維持することが要求されている。
【０００８】
本発明は、上記課題を解決するもので、吸水率が高く、小型化でき、効率的に気化することのできる気化式加湿機を提供することを目的とする。
【０００９】
【課題を解決するための手段】
本発明の気化式加湿機は上記目的を達成するために、側面に吸込口を有し、上面に吐出口を設けた箱状で、底部には給水タンクより給水される水を所定の水位でたくわえる水槽を設けた本体と、前記水槽の周辺に配設される環状の加湿フィルターと、この加湿フィルターの上方位置に配設され前記加湿フィルターを介して吸気するように設けられるファンモータと、このファンモータと連結し回転することにより前記水槽の水を吸い上げ前記加湿フィルターの内面に散水する吸水管とを備え、前記加湿フィルターを不織布をプリーツ加工して形成し、環状の加湿フィルターの内側に設けられる吸水管を、環状の加湿フィルターの内側における吸水管の位置関係でみて、本体の側面に設けた吸込口側に片寄せて配設したものである。
【００１０】
本発明によれば、加湿フィルターの吸水率が高くなり、小型化でき、効率的に気化することのできる気化式加湿機が得られる。
【００１１】
【発明の実施の形態】
本発明は、側面に吸込口を有し、上面に吐出口を設けた箱状で、底部には給水タンクより給水される水を所定の水位でたくわえる水槽を設けた本体と、前記水槽の周辺に配設される環状の加湿フィルターと、この加湿フィルターの上方位置に配設され前記加湿フィルターを介して吸気するように設けられるファンモータと、このファンモータと連結し回転することにより前記水槽の水を吸い上げ前記加湿フィルターの内面に散水する吸水管とを備え、前記加湿フィルターを不織布をプリーツ加工して形成し、環状の加湿フィルターの内側に設けられる吸水管を、環状の加湿フィルターの内側における吸水管の位置関係でみて、本体の側面に設けた吸込口側に片寄せて配設したものであり、吸水管により吸い上げられた水が加湿フィルター内面に向かい散水されたとき、加湿フィルターが不織布をプリーツ状に形成されているので、加湿フィルターが発砲ポリウレタン等により単に平板を丸め形成されている場合と比較して吸水量が多く、加湿フィルターを通り吸気される空気との接触量が多く、加湿量が増加することにより小型化を図ることができるとともに、吸気量の多い吸込側に対応する加湿フィルター部分に大量に散水することとなり、最も気化しやすい部分に効率的に散水することができるという作用を有する。
【００１２】
以下、本発明の実施例について図面を参照しながら説明する。
【００１３】
【実施例】
（参考例１）図１〜図３に示すように、箱状の本体５の側面に吸込口１を有し、上面に吐出口２を設け、底部には給水タンク３より給水される水を所定の水位でたくわえる水槽４を設けている。水槽４の周辺には不織布等をプリーツ加工して形成した環状の加湿フィルター６を設け、加湿フィルター６の上方位置に加湿フィルター６を介して吸気するようにファンモータ７を設け、ファンモータ７の回転軸８に吸水管連結具１０を取付けている。吸水管１１は下方が小径で上方が大径となる傾斜面を内面に形成し、吸水管連結具１０に着脱自在に螺合でき、加湿フィルター６の上半部に散水できるように吸水管１１の上方部の位置に１箇の散水孔１２を設けている。
【００１４】
上記構成において、加湿機を運転すると、ファンモータ７が駆動し、ファンモータ７に吸水管連結具１０を介して連結されている吸水管１１が回転し、給水タンク３から給水され、所定の水位にたもたれている水槽４の水が吸水管１１の内面を伝って上昇し、上方部に設けられた１箇の散水孔１２から加湿フィルター６の上方部の内面に向かい散水される。
【００１５】
このとき、加湿フィルター６は不織布をプリーツ加工して形成されているので、加湿フィルター６の表面積が大きくなり、多量の水分が吸水された状態で、加湿フィルター６の外面から吸気された空気が加湿フィルター６を通過する間に水分を含み気化され、吐出口２より加湿された空気が吐出されて室内が加湿されることとなる。
【００１６】
また、吸水管１１がファンモータ７の回転軸８に設けられた吸水管連結具１０に着脱自在に螺合されていることにより、回転軸８の軸心線上で固定されることとなり、吸水管１１の横振れによる振動がなくなるとともに、吸水管１１が着脱自在であることにより吸水管１１の内部や散水孔１２に付着した水あか等の掃除が容易にできることとなる。
【００１７】
また、吸水管１１は、上方部に散水孔１２を１つだけ設けていることにより、散水孔を吸水管の縦方向に複数設け加湿フィルターの全面に散水するように分散し散水する場合と比較して、上方部に設けた１箇の散水孔１２より集中的に散水することにより、大量の水が加湿フィルター６の最も気化しやすい上半部に散水され、また、水分は加湿フィルター６内部を徐々に下降して全体に吸水されることとなり、散水を効率的に行うことができる。
【００１８】
このように本発明の参考例１の気化式加湿機によれば、加湿フィルター６を不織布をプリーツ加工して形成したので、従来使用されていた発砲ポリウレタン等を単に環状に形成した加湿フィルターと比較して、表面積を大きく形成することができ、吸水量が多くなり、吸気空気との接触量が多くなって効率良く気化され、加湿量が増加することにより小型化を図ることができる。
【００１９】
また、吸水管１１を、ファンモータ７の回転軸８に取り付けられる吸水管連結具１０に着脱自在に螺合し取り付けているので、吸水管１１の横振れによる振動も少なく、また、ユーザーにおける吸水管１１の掃除性も向上させることができる。
【００２０】
また、吸水管１１の散水孔１２を加湿フィルター６の上半部に散水できるように上方部の位置に１箇設けているので、加湿フィルター６の最も気化し易い部分に集中的に散水して加湿量を増やすことができるとともに、１箇の散水孔１２により加湿フィルター６に勢いよく散水するので従来に比べ無駄な散水がなくなり、加湿フィルター６への散水効率が向上する。
（実施例１）図４および図５に示すように、プリーツ加工した加湿フィルター６Ａを環状でほぼ楕円状に形成し、この楕円形状の一方の円弧状部分１３を、本体５の吸込口１側に対応させて配置する。次に加湿フィルター６Ａ内に挿入される吸水管１１Ａを円弧状部分１３の中心位置となる吸込口１側に片寄せた状態で設置する。
【００２１】
上記構成において、加湿機が運転されると、ファンモータ７が駆動し、吸水管１１Ａが回転し、吸水管１１Ａに水が吸い上げられて加湿フィルター６Ａに散水される。このとき、散水される水は吸水管１１Ａに近い位置にある一方の円弧状部分１３に多く散水されることとなる。
【００２２】
一方、ファンモータ７により吸気される空気は、本体５に設けた吸込口１より吸気されるので、吸込口１の近傍に配設されている加湿フィルター６Ａの一方の円弧状部分１３を通過する吸気量が多くなり、多く吸水されている一方の円弧状部分１３における気化がスムーズに大量に行われることとなる。
【００２３】
このように本実施例の気化式加湿機によれば、環状で楕円状に形成した加湿フィルター６Ａの内側に設けられる吸水管１１Ａを、加湿フィルター６Ａの一方の円弧状部分１３を本体５の吸込口１近傍に位置するように設けた状態で、吸込口１側に片寄せて配設しているので、吸気量の多い吸込側に対応して加湿フィルター６Ａの吸水量が多い一方の円弧状部分１３が配設されることとなり、効率的に散水することができ、気化効率を向上させることができる。
（参考例２）図６〜図９に示すように、加湿フィルター６Ｂの底部を支える環状の底枠１４と、この底枠１４の周辺に複数本立設した支持脚１５により支持される環状の取付枠１６によりフィルター枠１７を形成し、フィルター枠１７の取付枠１６につめ１８ａを介して着脱自在に係合する形状で、加湿フィルター６Ｂの上部を覆う環状のフィルターカバー１８を設ける。
【００２４】
そして、フィルター枠１７の底部に設けられる底枠１４に加湿フィルター６Ｂの排水用の水切り孔１９と、給水タンク（図示せず）より給水された水を水槽４に導く凹状の水路２０に水の流水路を残して嵌挿される形状のエアーリーク防止板２１を設けている。
【００２５】
上記構成において、加湿フィルター６Ｂは底部と上部をフィルター枠１７の底枠１４とフィルターカバー１８で挟み保持しているので、不織布をプリーツ加工して形成している場合においても、加湿フィルター６Ｂの形状が保持され、気化をスムーズに行うことができる。さらに加湿フィルター６Ｂの交換時や水槽４の掃除を行う場合における加湿フィルター６Ｂの形くずれが防止され取扱性が向上する。
【００２６】
また、底枠１４上に載置されている加湿フィルター６Ｂの水分が下降し底枠１４上に到達したときには、底板１４に設けた排水用の水切り孔１９により水槽４側に排水されることとなり、加湿フィルター６Ｂに残存する水が排水されやすくなり、運転を停止しているときには乾燥しやすくなって衛生的となる。
【００２７】
また、底枠１４に設けたエアーリーク防止板２１が給水タンクからの水を水槽４に導く水路２０内に嵌挿され水路２０は水のみが通るようにしているので、運転時に加湿フィルター６Ｂの外面から内面側に吸気される空気の一部が水路２０を通り直接加湿フィルター６Ｂの内側に浸入して気化効率を低下させるエアーリークが防止されることとなる。
【００２８】
【発明の効果】
以上の実施例から明らかなように、本発明によれば側面に吸込口を有し、上面に吐出口を設けた箱状で、底部には給水タンクより給水される水を所定の水位でたくわえる水槽を設けた本体と、前記水槽の周辺に配設される環状の加湿フィルターと、この加湿フィルターの上方位置に配設され前記加湿フィルターを介して吸気するように設けられるファンモータと、このファンモータと連結し回転することにより前記水槽の水を吸上げ前記加湿フィルターの内面に散水する吸水管とを備え、前記加湿フィルターを不織布をプリーツ加工して形成し、環状の加湿フィルターの内側に設けられる吸水管を、環状の加湿フィルターの内側における吸水管の位置関係でみて、本体に設けた吸込口側に片寄せて配設したので、吸水率が高くなり、小型化が図られ、効率的に気化することができるとともに、吸気量の多い吸込側に対応する加湿フィルター部分に大量に散水することとなり、最も気化しやすい部分に効率的に散水することができる気化式加湿機を提供できる。
【００２９】
また、前記加湿フィルターの底部を支えるとともに前記水槽に載置される環状の底枠と、この底枠の周辺に複数本立設した支持脚により支持される取付枠とを設けたフィルター枠と、このフィルター枠の取付枠に着脱自在に係合し、前記加湿フィルターの上部を覆う環状のフィルターカバーとを備え、前記加湿フィルターは前記フィルター枠および前記フィルターカバーと一体化した状態で、前記水槽に着脱可能に載置されるようにしたので、加湿フィルターを不織布で形成し吸水すると形がくずれやすくなるがフィルター枠とフィルターカバーにより形状が保持されるとともに、加湿フィルターを洗浄するときフィルター枠ごと洗剤につけ置き洗いができる。
【図面の簡単な説明】
【図１】本発明の参考例１の気化式加湿機の構成を示す断面図
【図２】同気化式加湿機の斜視図
【図３】同気化式加湿機の加湿フィルターの構成を示す斜視図
【図４】本発明の実施例１の気化式加湿機の加湿フィルターの構成を示す斜視図
【図５】同気化式加湿機の吸込口と吸水管の関係を示す概略図
【図６】本発明の実施例２の気化式加湿機の加湿フィルターの構成を示す分解斜視図
【図７】同気化式加湿機の加湿フィルターの構成を示す斜視図
【図８】同気化式加湿機の加湿フィルターの取り付け時の状態を示す斜視図
【図９】同気化式加湿機の加湿フィルターのエアーリーク防止板の状態を示す拡大図
【図１０】従来の気化式加湿機の構成を示す断面図
【符号の説明】
１ 吸込口
１Ａ 吸込口
２ 吐出口
３ 給水タンク
４ 水槽
５ 本体
６ 加湿フィルター
６Ａ 加湿フィルター
６Ｂ 加湿フィルター
７ ファンモータ
８ 回転軸
１０ 吸水管連結具
１１ 吸水管
１１Ａ 吸水管
１２ 散水孔
１４ 底枠
１５ 支持脚
１６ 取付枠
１７ フィルター枠
１８ フィルターカバー
１９ 水切り孔
２０ 水路
２１ エアーリーク防止板
【図１】
0004204669.tif 000002
【図２】
0004204669.tif 000003
【図３】
0004204669.tif 000004
【図４】
0004204669.tif 000005
【図５】
0004204669.tif 000006
【図６】
0004204669.tif 000007
【図７】
0004204669.tif 000008
【図８】
0004204669.tif 000009
【図９】
0004204669.tif 000010
【図１０】
0004204669.tif 000011